(57)【特許請求の範囲】
【請求項１】
隣接するパネルの対向する側壁面間に介装して水密性を付与する帯状パッキンであって、パッキン本体の両側に形成されてパネルの側壁面に弾接する弾接面と、パッキン本体の裏面に形成されてパネルの側壁面の裏面側後端縁からパネル表面と略平行に延出されてパッキンを受けるパッキン受け片に当接する当接面とを備え、当接面のパッキンの幅方向の略中央部がパッキンの厚さ方向に凹成されてパッキンの長さ方向の全長にわたる凹溝が形成され、凹溝によって、パッキン本体の裏面の当接面を隣接するパッキン受け片に独立して当接する分離当接面部に分離して成ることを特徴とする帯状パッキン。
【請求項２】
凹溝は断面弧状に形成して成ることを特徴とする請求項１記載の帯状パッキン。
【請求項３】
弾接面にはひれ片を形成して成ることを特徴とする請求項１又は２記載の帯状パッキン。
【請求項４】
隣接するパネルの対向する側壁面間に帯状パッキンを介装して水密性を付与するパネル間のシール構造であって、パッキン本体の両側にパネルの側壁面に弾接する弾接面を形成し、パッキン本体の裏面にパネルの側壁面の裏面側後端縁からパネル表面と略平行に延出されてパッキンを受けるパッキン受け片に当接する当接面とを形成し、当接面のパッキンの幅方向の略中央部がパッキンの厚さ方向に凹成されてパッキンの長さ方向の全長にわたる凹溝が形成され、凹溝によって、パッキン本体の裏面の当接面が隣接するパッキン受け片に独立して当接する分離当接面部に分離され、パッキン本体の弾接面をパネルの側壁面に弾接するとともに、凹溝の両側の分離当接面部をパッキン受け片に当接して成ることを特徴とするパネル間のシール構造。
【発明の詳細な説明】
【０００１】
【発明の属する技術分野】
本発明は、帯状パッキン及びパネル間のシール構造に関し、詳しくは、簡単な改良によって良好な水密シール効果を長く維持しようとする技術に係るものである。
【０００２】
【従来の技術】
従来、帯状パッキンＰａは、図５に示すように、断面略長方形状に形成されていて、帯状パッキンＰａの弾接面４ａ，４ａがパネル１，１の側壁面２，２に弾接するとともに、帯状パッキンＰａの裏面の当接面６がパネル１，１のパネル表面と略平行に延出されているパッキン受け片５，５に当接するとともに接着剤Ｂにて接着するのである。
【０００３】
【発明が解決しようとする課題】
ところで、このような構成においては、帯状パッキンＰａの裏面の当接面６がパネル１のパッキン受け片５に当接するとともに接着される箇所において、帯状パッキンＰａとパッキン受け片５が滑りが生じないパッキンの拘束状態になるのである。
【０００４】
このような拘束状態において、左右のパネル１，１等が熱膨張・熱収縮を繰り返すことで、帯状パッキンＰａの幅方向の中間部分が引張・圧縮力を繰り返し受けるのであり、帯状パッキンＰａの幅方向の中間部分に亀裂が入り、破壊されて、パッキン機能が早く失われるという問題があった。
【０００５】
本発明はこのような問題に鑑みてなされたものであり、簡単な改良によって良好な水密シール効果を長く維持することができる帯状パッキン及びパネル間のシール構造を提供することを課題とするものである。
【０００６】
【課題を解決するための手段】
請求項１においては、隣接するパネル１，１の対向する側壁面２，２間に介装して水密性を付与する帯状パッキンであって、パッキン本体３の両側に形成されてパネル１，１の側壁面２，２に弾接する弾接面４，４と、パッキン本体３の裏面に形成されてパネル１，１の側壁面２，２の裏面側後端縁からパネル表面と略平行に延出されてパッキンＰを受けるパッキン受け片５，５に当接する当接面６とを備え、当接面６のパッキンの幅方向の略中央部がパッキンの厚さ方向に凹成されてパッキンの長さ方向の全長にわたる凹溝７が形成され、凹溝７によって、パッキン本体３の裏面の当接面６を隣接するパッキン受け片５，５に独立して当接する分離当接面部６ａ，６ｂに分離していることを特徴とするものである。
【０００７】
このような構成によれば、パッキン本体３の裏面に形成した凹溝７によって、パッキン本体３の裏面の当接面６を隣接するパッキン受け片５，５に独立して当接する分離当接面部６ａ，６ｂに分離するのであり、かつ、これら分離当接面部６ａ，６ｂ間の沿面面積を凹溝７によって増すことができるのであり、このように、分離当接面部６ａ，６ｂ間の沿面面積を充分に増すことができることから、左右の分離当接面部６ａ，６ｂが左右のパッキン受け片５，５に対して滑りが生じない拘束状態になって、左右のパネル１，１の熱膨張・熱収縮に起因してパッキン受け片５，５が近接・離間を繰り返す場合に、分離当接面部６ａ，６ｂ間の凹溝７部分において充分な伸縮機能を発揮させることができるのであり、したがって、従来のように、左右の拘束状態となっている部分の間のパッキン部分に亀裂が入ったり、破壊されるようなことがなく、パッキン機能を長期にわたって維持することができる。
【０００８】
請求項２においては、凹溝７は断面弧状に形成していることを特徴とするものである。
【０００９】
このような構成によれば、弧状面８においては局部的に応力が集中するようなことがなく、伸縮する箇所における応力手中に起因する損傷を回避することができる。
【００１０】
請求項３においては、弾接面４にはひれ片９を形成していることを特徴とするものである。
【００１１】
このような構成によれば、ひれ片９によってパネル１の側壁面２に良好に弾接して水密シール効果を高めることができる。
【００１２】
請求項４においては、隣接するパネル１，１の対向する側壁面２，２間に帯状パッキンＰを介装して水密性を付与するパネル間のシール構造であって、パッキン本体３の両側に形成されてパネル１，１の側壁面２，２に弾接する弾接面４，４と、パッキン本体３の裏面に形成されてパネル１，１の側壁面２，２の裏面側後端縁からパネル表面と略平行に延出されてパッキンＰを受けるパッキン受け片５，５に当接する当接面６とを備え、パッキン本体３の裏面の略中央部にパッキンの厚さ方向に凹成されるとともにパッキンの長さ方向の全長にわたって凹溝７を形成し、凹溝７によって、パッキン本体３の裏面の当接面６が隣接するパッキン受け片５，５に独立して当接する分離当接面部６ａ，６ｂに分離され、パッキン本体３の弾接面４，４をパネル１の側壁面２に弾接するとともに、凹溝７の両側の当接面６をパッキン受け片５，５に当接していることを特徴とするものである。
【００１３】
このような構成によれば、凹溝７によって分離された分離当接面部６ａ，６ｂ間の沿面面積を凹溝７によって増すことができるのであり、このように、分離当接面部６ａ，６ｂ間の沿面面積を充分に増すことができることから、左右の分離当接面部６ａ，６ｂが左右のパッキン受け片５，５に対して滑りが生じない拘束状態になって、左右のパネル１，１の熱膨張・熱収縮に起因してパッキン受け片５，５が近接・離間を繰り返す場合に、分離当接面部６ａ，６ｂ間の凹溝７部分において充分な伸縮機能を発揮させることができるのであり、したがって、従来のように、左右の拘束状態となっている部分の間のパッキン部分に亀裂が入ったり、破壊されるようなことがなく、パッキン機能を長期にわたって維持することができる。
【００１４】
【発明の実施の形態】
以下、本発明の実施の形態を説明する。図１（ａ）は全体の断面図、同図（ｂ）は帯状パッキンの底面を示す斜視図である。図３はパネルの上下方向の接続構造を示す断面図である。
【００１５】
パネル１は、表裏の金属外皮１０，１１間に、例えば、ロックウールのような無機質材料からなる芯材１２を充填するとともに図３に示すように、上部に接続凹部１３を、下部に接続凸部１４を形成し、横方向の端部に図１に示すように、芯材１２に対向して側端片が折曲げられて側壁面２が形成され、側端片に続いてパッキン受け片５が折曲げられて構成されている。
【００１６】
左右のパネル１，１の側壁面２，２の間に本発明の帯状パッキンＰが介装され、又、上下のパネル１，１の接続凹部１３と接続凸部１４との間にシールパッキン１５が介装される。以下、帯状パッキンＰを詳述する。
【００１７】
帯状パッキンＰは、パッキン本体３の両側に形成されてパネル１，１の側壁面２，２に弾接する弾接面４，４と、パッキン本体３の裏面に形成されてパネル１，１の側壁面２，２の裏面側後端縁からパネル表面と略平行に延出されて帯状パッキンＰを受けるパッキン受け片５，５に当接する当接面６とを備えている。
【００１８】
当接面６のパッキンの幅方向の略中央部にパッキンの厚さ方向に凹成されるとともにパッキンの長さ方向の全長にわたる凹溝７を形成している。凹溝７の底面は弧状面８に形成され、弾接面４にはひれ片９を形成している。このような帯状パッキンＰは、例えば、ＥＰＴのような合成ゴム製であり、発泡成形されている。
【００１９】
このような構成によれば、パッキン本体３の裏面に形成した凹溝７によって、パッキン本体３の裏面の当接面６を隣接するパッキン受け片５，５に独立して当接する分離当接面部６ａ，６ｂに分離するのであり、かつ、これら分離当接面部６ａ，６ｂ間の沿面面積を凹溝７によって増すことができるのである。このように、分離当接面部６ａ，６ｂ間の沿面面積を充分に増すことができることから、左右の分離当接面部６ａ，６ｂが左右のパッキン受け片５，５に対して滑りが生じない拘束状態になって、左右のパネル１，１の熱膨張・熱収縮に起因してパッキン受け片５，５が近接・離間を繰り返す場合に、分離当接面部６ａ，６ｂ間の凹溝７部分において充分な伸縮機能を発揮させることができるのであり、したがって、従来のように、左右の拘束状態となっている部分の間のパッキン部分に亀裂が入ったり、破壊されるようなことがなく、パッキン機能を長期にわたって維持することができるのである。
【００２０】
更に、凹溝７には弧状面８を形成していることから、弧状面８においては局部的に応力が集中するようなことがなく、伸縮する箇所における応力手中に起因する損傷を回避することができるのである。又、弾接面４にはひれ片９を形成していることから、ひれ片９によってパネル１の側壁面２に良好に弾接して水密シール効果を高めることができるのである。
【００２１】
ところで、帯状パッキンＰの弾接面４，４及び分離当接面部６ａ，６ｂは接着剤Ｂにて接着されるものであるが、接着剤Ｂは必ずしも必要ではない。
【００２２】
パネル１，１の側壁面２と芯材１２との間にはシール材１６が介装され、これらシール材１６，１６間には樋状体１７が配設され、柱材１６に取付けた支持片１８にて支持されている。
【００２３】
【発明の効果】
請求項１においては、隣接するパネルの対向する側壁面間に介装して水密性を付与する帯状パッキンであって、パッキン本体の両側に形成されてパネルの側壁面に弾接する弾接面と、パッキン本体の裏面に形成されてパネルの側壁面の裏面側後端縁からパネル表面と略平行に延出されてパッキンを受けるパッキン受け片に当接する当接面とを備え、当接面のパッキンの幅方向の略中央部がパッキンの厚さ方向に凹成されてパッキンの長さ方向の全長にわたる凹溝が形成され、凹溝によって、パッキン本体の裏面の当接面を隣接するパッキン受け片に独立して当接する分離当接面部に分離しているから、パッキン本体の裏面に形成した凹溝によって、パッキン本体の裏面の当接面を隣接するパッキン受け片に独立して当接する分離当接面部に分離するのであり、かつ、これら分離当接面部間の沿面面積を凹溝によって増すことができるのであり、このように、分離当接面部間の沿面面積を充分に増すことができることから、左右の分離当接面部が左右のパッキン受け片に対して滑りが生じない拘束状態になって、左右のパネルの熱膨張・熱収縮に起因してパッキン受け片が近接・離間を繰り返す場合に、分離当接面部間の凹溝部分において充分な伸縮機能を発揮させることができるのであり、したがって、従来のように、左右の拘束状態となっている部分の間のパッキン部分に亀裂が入ったり、破壊されるようなことがなく、パッキン機能を長期にわたって維持することができるという利点がある。
【００２４】
請求項２においては、凹溝は断面弧状に形成されているから、請求項１の効果に加えて、弧状面においては局部的に応力が集中するようなことがなく、伸縮する箇所における応力手中に起因する損傷を回避することができるという利点がある。
【００２５】
請求項３においては、弾接面にはひれ片を形成しているから、請求項１又は２の効果に加えて、ひれ片によってパネルの側壁面に良好に弾接して水密シール効果を高めることができるという利点がある。
【００２６】
請求項４においては、隣接するパネルの対向する側壁面間に帯状パッキンを介装して水密性を付与するパネル間のシール構造であって、パッキン本体の両側面に形成されてパネルの側壁面に弾接する弾接面と、パッキン本体の裏面に形成されてパネルの側壁面の裏面側後端縁からパネル表面と略平行に延出されてパッキンを受けるパッキン受け片に当接する当接面とを備え、パッキン本体の裏面の略中央部にパッキンの厚さ方向に凹成されてパッキンの長さ方向の全長にわたる凹溝が形成され、凹溝によって、パッキン本体の裏面の当接面が隣接するパッキン受け片に独立して当接する分離当接面部に分離され、パッキン本体の弾接面をパネルの側壁面に弾接するとともに、凹溝の両側の当接面をパッキン受け片に当接しているから、凹溝によって分離された分離当接面部間の沿面面積を凹溝によって増すことができるのであり、このように、分離当接面部間の沿面面積を充分に増すことができることから、左右の分離当接面部が左右のパッキン受け片に対して滑りが生じない拘束状態になって、左右のパネルの熱膨張・熱収縮に起因してパッキン受け片が近接・離間を繰り返す場合に、分離当接面部間の凹溝部分において充分な伸縮機能を発揮させることができるのであり、したがって、従来のように、左右の拘束状態となっている部分の間のパッキン部分に亀裂が入ったり、破壊されるようなことがなく、パッキン機能を長期にわたって維持することができるという利点がある。
【図面の簡単な説明】
【図１】本発明の実施の一形態を示し、（ａ）は全体の断面図、（ｂ）は帯状パッキンの底面を示す斜視図である。
【図２】（ａ）は帯状パッキンの断面図、（ｂ）は底面図である。
【図３】パネルの上下方向の接続構造を示す断面図である。
【図４】（ａ）（ｂ）は動作を示す説明図である。
【図５】従来例の概略断面図である。
【符号の説明】
１    パネル
２    側壁面
３    パッキン本体
４    弾接面
５    パッキン受け片
６    当接面
６ａ  分離当接面部
６ｂ  分離当接面部
７    凹溝
【図１】
0003921014.tif 000002
【図２】
0003921014.tif 000003
【図３】
0003921014.tif 000004
【図４】
0003921014.tif 000005
【図５】
0003921014.tif 000006